(57)【要約】      （修正有）【課題】太陽電池パネルの移動を規制する固定金具を備えた太陽電池パネルの固定構造を提供する。【解決手段】太陽電池パネルの外周に設けられた枠部材２を、複数の横ラックを含む架台３に固定する太陽電池パネルの固定構造５０であって、枠部材２の下側枠２２に設けられた突出部２７を下側横ラックの上側溝部４１に挿入し、枠部材２の上側枠を上側横ラックに固定する太陽電池パネルの固定構造５０において、下側枠２２に係合する爪部６３を有する固定金具６０が、下側横ラックの端部に固定されることによって、太陽電池パネルの移動を規制する。【選択図】図３
2012202132.tif 000002
【特許請求の範囲】
【請求項１】
太陽電池パネルの外周に設けられた枠部材を、複数の横ラックを含む架台に固定する太陽電池パネルの固定構造であって、前記枠部材の下側枠に設けられた突出部を下側横ラックの上側溝部に挿入し、前記枠部材の上側枠を上側横ラックに固定する太陽電池パネルの固定構造において、
前記下側枠に係合する爪部を有する固定金具が、前記下側横ラックの端部に固定されることによって、前記太陽電池パネルの移動を規制することを特徴とする太陽電池パネルの固定構造。
【請求項２】
前記固定金具には、横ラックの端部を覆う化粧カバーを取付ける為の複数のビス穴が形成されていることを特徴とする請求項１に記載の太陽電池パネルの固定構造。
【請求項３】
前記固定金具は、前記爪部に対して位置と幅の異なる誤装着防止用爪部を有することを特徴とする請求項１又は２に記載の太陽電池パネルの固定構造。
【発明の詳細な説明】
【技術分野】
【０００１】
本発明は太陽電池パネルの固定構造に関し、特に架台の横ラックの端部に固定金具が固定され、この固定金具の爪部を太陽電池パネルの外周に設けられた枠部材の下側枠に係合させることで、太陽電池パネルの移動を規制する固定構造に関する。
【背景技術】
【０００２】
従来から、複数の太陽電池パネルが、地上や屋上や傾斜屋根などの水平な又は傾斜した設置面上に金属製の架台を介して設置されている。架台は、複数の縦ラックと、これら縦ラックの上に固定される複数の横ラックとで構成されている。複数の太陽電池パネルを横方向に並べたパネル列の各々は、２条の横ラックにより両端支持する状態に設置される。
【０００３】
一般的な傾斜屋根に設置される太陽電池パネルの固定構造においては、太陽電池パネルの外周に枠部材を設け、この枠部材の下側枠に形成された突出部を下側の横ラックの上側溝部に挿入し、次に、枠部材の上側枠に形成された突出部に複数の固定部材を上方から係合させ、これら固定部材をボルト部材を介して上側の横ラックに夫々固定することで、太陽電池パネルを架台に固定している。
【０００４】
ここで、上記の設置面の形状に応じて、複数の太陽電池パネルの全体的な配置パターンが、正方形状や長方形状だけでなく台形状の配置パターンになる場合がある。このため、太陽電池パネルの形状には、台形状の設置面の斜辺側部分に適合させるように、正方形状や長方形状のもの以外にも、少なくとも１辺が斜辺の台形状に形成された太陽電池パネルも採用されている。この台形状の太陽電池パネルを利用することで、設置面の斜辺側部分にも配置することができ、種々の配置パターンに対応することが可能となる。
【０００５】
ところで、太陽電池パネルが正方形状又は長方形状の場合、枠部材の上側枠を上側の横ラックに固定する際に、複数の固定部材を長い上側枠に沿って所定の間隔を空けて配置する事ができるので、太陽電池パネルの固定姿勢は安定する。
【０００６】
しかし、台形状の太陽電池パネルの場合は、固定姿勢が不安定になる。つまり、台形状の太陽電池パネルでは、長辺側の下側枠を下側の横ラックの溝部に挿入し、短辺側の上側枠を１又は複数の固定部材を介して横ラックに固定することになるので、固定部材を取り付ける領域が狭くなり、下側枠が溝部から離隔し易い不安定な状態となる虞がある。このため、下側枠が下側の横ラックから外れてしまうという問題が生じる。
【０００７】
そこで、台形状の太陽電池パネルを架台に固定する固定構造が、特許文献１に開示されている。この特許文献１の太陽電池パネルにおいては、パネル本体の下辺側の鋭角部分に接合金具が固定されている。この接合金具は、接合板とこの接合板と一体形成された略Ｌ字状に形成された取付け部材を有し、接合板が屋根側の固定部材に固定され、取付け部材の縦板部がパネル左端面に固定され、取付け部材の横板部がパネル下端面に補強板を介して固定されている。尚、特許文献１の固定構造は、太陽電池パネルの縦辺を縦ラックに固定部材を介して固定する構造である。
【先行技術文献】
【特許文献】
【０００８】
【特許文献１】特開２００２−１８０６０５号公報
【発明の概要】
【発明が解決しようとする課題】
【０００９】
しかし、上記の特許文献１の接合金具では、先ず、接合金具の取付け部材の縦板部を複数のビスによりパネル左端面に固定し、取付け部材の横板部を複数のビスと補強板を介してパネル下端面に固定し、その後、太陽電池パネルを屋根に組み付ける際に、接合板を屋根側の固定部材に固定する。従って、接合金具の構造が複雑なので、複数のビスの締結作業に手間がかかるうえ、部品点数が多くなり組み立てコストがかかる。また、特許文献１の接合金具は、太陽電池パネルを架台や屋根に取り付ける機能を有するのみで、それ以外の機能を有していない。
【００１０】
本発明の目的は、太陽電池パネルの移動を規制する固定金具を備えた太陽電池パネルの固定構造を提供すること、簡単に組付け可能で且つ組み立てコストを低減できる太陽電池パネルの固定構造を提供すること、などである。
【課題を解決するための手段】
【００１１】
請求項１の太陽電池パネルの固定構造は、太陽電池パネルの外周に設けられた枠部材を、複数の横ラックを含む架台に固定する太陽電池パネルの固定構造であって、前記枠部材の下側枠に設けられた突出部を下側横ラックの上側溝部に挿入し、前記枠部材の上側枠を上側横ラックに固定する太陽電池パネルの固定構造において、前記下側枠に係合する爪部を有する固定金具が、前記下側横ラックの端部に固定されることによって、前記太陽電池パネルの移動を規制することを特徴としている。
【００１２】
請求項２の太陽電池パネルの固定構造は、請求項１の発明において、前記固定金具には、前記横ラックの端部を覆う化粧カバーを取付ける為の複数のビス穴が形成されていることを特徴としている。
【００１３】
請求項３の太陽電池パネルの固定構造は、請求項１又は２の発明において、前記固定金具は、前記爪部に対して位置と幅の異なる誤装着防止用爪部を有することを特徴としている。
【発明の効果】
【００１４】
請求項１の発明によれば、下側枠に係合する爪部を有する固定金具が、下側横ラックの端部に固定されることによって、太陽電池パネルの移動を規制するので、この固定金具により枠部材の下側枠が架台から外れてしまう不具合を防止することができる。
【００１５】
従って、固定金具を下側枠に係合させる為に複数のビスや補助板を必要とせず、１つの部材からなる固定金具を横ラックに固定するだけで、枠部材の下側枠を横ラックに固定することができるので、太陽電池パネルの架台に対する組み付けを簡単化することができる上、部品点数を少なくしてコスト低減を図ることができる。
【００１６】
請求項２の発明によれば、固定金具には、横ラックの端部を覆う化粧カバーを取付ける為の複数のビス穴が形成されているので、固定金具を横ラックの端部に固定した状態で、複数のビス穴を介して化粧カバーを取り付けることができる。
【００１７】
請求項３の発明によれば、固定金具は、爪部に対して位置と幅の異なる誤装着防止用爪部を有するので、固定金具を架台の端部に固定する場合、誤装着防止用爪部により誤装着を防止することができる。
【図面の簡単な説明】
【００１８】
【図１】設置面上の架台に組み付けられた複数の太陽電池パネルと複数のカバー部材の平面図である。
【図２】設置面上の架台の平面図である。
【図３】図１の架台から間カバーを外した状態のＡ拡大斜視図である。
【図４】図１の架台から間カバーを外した状態のＡ拡大側面図である。
【図５】固定金具の斜視図である。
【図６】固定金具の側面図である。
【図７】固定金具の裏面図である。
【発明を実施するための形態】
【００１９】
以下、本発明を実施するための形態について実施例に基づいて説明する。
【実施例】
【００２０】
先ず、太陽電池パネル１が架台３に取付けられた全体構造について簡単に説明する。
図１，図２に示すように、複数の太陽電池パネル１が、屋根などの傾斜した略台形状の設置面Ｓ上に金属製の架台３を介して設置されている。複数の太陽電池パネル１は、横方向に並べた複数の（例えば上下２列の）パネル列を構成し、パネル列の各々は、２条の横ラック３２により上下両端を支持する状態に配置される。
【００２１】
具体的に、２列のパネル列のうち下側のパネル列は、左方から右方に向けて台形状の太陽電池パネル１Ａ、長方形状の太陽電池パネル１Ｂ（又は２つの正方形状の太陽電池パネルであっても良い）、台形状の太陽電池パネル１Ｃの順に配列され、このパネル列の下端は架台３の最下段の横ラック３２Ａに支持され、上端は中段の横ラック３２Ｂに固定されている。上側パネル列は、左側に台形状の太陽電池パネル１Ｄ、右側に台形状の太陽電池パネル１Ｅと配列され、このパネル列の下端は架台３の中段の横ラック３２Ｂに支持され、上端は最上段の横ラック３２Ｃに固定されている。尚、太陽電池パネルの詳細な固定構造５０については後述する。
【００２２】
次に、太陽電池パネル１について説明する。
図１，図３，図４に示すように、太陽電池パネル１（以下、パネルという）は、上記のように左斜辺を有する台形状のパネル１Ａ，１Ｄ、右斜辺を有する台形状のパネル１Ｃ，１Ｅや長方形状のパネル１Ｂなど種々の形状に構成されたものがあるが、これらはパネル形状が異なる以外は、その主要部分はほぼ同じ構成なので、以下の説明ではパネル１の主要部分についてのみ説明する。
【００２３】
パネル１は、種々の形状に形成されたパネル本体１０を有し、このパネル本体１０は、平板状に配列された複数の太陽電池セル１１、この太陽電池セル１１の表面側を覆うカバーガラス１２、太陽電池セル１１の裏面側を保護する背面保護材などから構成されている。パネル本体１０は、４〜５ｍｍ程度の厚さに形成され、太陽光のエネルギーを直接電力に変換するものである。パネル本体１０には、パネル形状に適合した外周枠を構成する枠部材２が設けられている。
【００２４】
次に、枠部材２について説明する。
図３，図４に示すように、枠部材２は、上側枠２１、下側枠２２、左側枠や右側枠２３などを備えているが、その主要部分はほぼ同じ構成である。尚、左側の台形状のパネル１Ａ，１Ｄ，右側の台形状のパネル１Ｃ，１Ｅの鋭角部分においては、この鋭角部分の先端を削除したような形状に構成され、この削除部分に突出部２７を省略した短い縦枠２４が設けられている。
【００２５】
枠部材２の各々は、底板部２５と、この底板部２５から垂直に延びる縦板部２６とを有する。底板部２５の外周部分は縦板部２６より外周側へ突出した突出部２７が形成されている。この突出部２７には、上方に開口された浅い溝状の係合部２８が形成されている。縦板部２６の上端部の内周部には係合溝２９が形成され、この係合溝２９にパネル本体１０の外周部が係合されている。枠部材２はアルミニウム製又はアルミニウム合金製のものであるが、アルミニウム以外の軽合金製とすることも可能である。枠部材２の表面には酸化アルミニウムの絶縁性被膜が形成されている。
【００２６】
次に、架台３について説明する。
図１〜図４に示すように、架台３は、横方向の適当な複数箇所に縦向きに設置され且つ縦方向に所定間隔おきに設置された複数の縦ラック３１と、これらの複数の縦ラック３１上に配置されて横方向向きに延び且つ縦方向に所定間隔おきに設置される複数の横ラック３２とから構成されている。架台３は、全体的に設置面Ｓに適合した配置パターンとなるように構成されている。横ラック３２は、最下段の横ラック３２Ａと中段の横ラック３２Ｂと最上段の横ラック３２Ｃを備えている。
【００２７】
縦ラック３１と横ラック３２は、夫々、アルミニウム押し出し材の条材からなる。縦ラック３１と横ラック３２の各交差部において、横ラック３２は縦ラック３１に対して位置決め金具（図示略）により固定されている。横方向に延びる各列の横ラック３２は導電線により予め地面にアース接地されている。尚、横ラック３２Ａには軒カバー５が設けられ、横ラック３２Ｂには間カバー６が設けられ、横ラック３２Ｃには棟カバー７が夫々設けられている。
【００２８】
次に、横ラック３２の構成について説明するが、横ラック３２Ａ〜３２Ｃの構成は同様であるので、以下の説明では、横ラック３２Ｂについてのみ説明する。尚、図４の上下左右を上下左右として説明する。
【００２９】
図３，図４に示すように、横ラック３２Ｂは、位置決め金具（図示略）で縦ラック３１に固定される底板３４と、この底板３４に垂直に一体形成された１対のリブ３５ａ，３５ｂと、この１対のリブ３５ａ，３５ｂ上に夫々形成された左右の横支持板３６ａ，３６ｂと、これら左右の横支持板３６ａ，３６ｂに垂直に一体的に夫々形成された１対の縦支持板３７ａ，３７ｂと、この１対の縦支持板３７ａ，３７ｂの上端に亙って形成され頂部支持板３８などを有する。
【００３０】
右側の縦支持板３７ｂの右端面下部には、凸部３９が形成されている。この凸部３９は、縦支持板３７ｂの全長に亙って形成されている。この凸部３９と横支持板３６ｂと右側縦支持板３７ｂとから、浅い溝状の溝部４１が形成されている。この溝部４１には、パネル１Ｄ，１Ｅに設けられた下側枠２２の突出部２７が左方から挿入されている。
【００３１】
頂部支持板３８の右側部分は、右側の縦支持板３７ｂより右側に突出している。この右側部分には、Ｌ字状受部４２が一体形成されている。このＬ字状受部４２に、パネル１Ｄ，１Ｅに設けられた下側枠２２の縦板部２６の表面が当接される。尚、横ラック３２が最上段の横ラック３２Ｃの場合は、このＬ字状受部４２には棟カバー７の係止部が係止される。
【００３２】
頂部支持板３８には、上下方向に貫通した貫通溝４３が横方向の全長に亙って形成されている。頂部支持板３８の下側において、１対の縦支持板３７ａ，３７ｂには、中段板４４が一体形成されている。この中段板４４には、浅い溝部４５が横方向の全長に亙って形成されている。この貫通溝４３と溝部４５とからレール溝４６が形成され、このレール溝４６は横方向の全長に亙って形成されている。
【００３３】
中段板４４には、１対の規制部４７がレール溝４６を挟んで対向状に横方向の全長に亙って形成されている。１対の規制部４７は、固定機構５１のナット部材５４の横方向へのスライド移動を許容し且つ縦方向（左右方向）の移動及び回転を規制する。レール溝４６には、固定機構５１の締結ボルト５３とナット部材５４が挿入されている。
【００３４】
次に、本発明の太陽電池パネルの固定構造５０について説明する。
図１〜図７に示すように、この固定構造５０は、パネル１の外周に設けられた枠部材２を、複数の横ラック３２を含む架台３に固定することでパネル１を固定するものである。パネル１の固定構造５０は、枠部材２の下側枠２２に設けられた突出部２７を下側の横ラック３２の上側溝部４１に挿入し、枠部材２の上側枠２１を上側の横ラック３２に固定するものである。固定構造５０には、パネル１の移動を規制するための後述する固定金具６０を備えている。尚、以下の説明では、パネル１Ｃ，１Ｅを横ラック３２Ｂに固定する構造ついて説明するが、パネル１Ａ，１Ｂ，１Ｄに関する固定構造５０においても同様である。
【００３５】
図３，図４に示すように、パネル１Ｃの上側において、上側枠２１の底板部２５の右端部分が横ラック３２Ｂの横支持板３６ａの左端部分上に載置支持され、この上側枠２１の突出部２７が、枠部材２の横方向の所定の位置において、固定機構５１により横ラック３２Ｂに固定されている。パネル１Ｅの下側において、下側枠２２の底板部２５の左端部分が横ラック３２Ｂの横支持板３６ｂの右端部分上に載置され、下側枠２２の突出部２７が左方から溝部４１に挿入されている。
【００３６】
尚、図示は省略するが、パネル１Ｃの下側において、下側枠２２の底板部２５の左端部分が横ラック３２Ａの横支持板３６ｂの右端部分上に載置され、下側枠２２の突出部２７が左方から溝部４１に挿入されている。パネル１Ｅの上側において、上側枠２１の底板部２５の右端部分が横ラック３２Ｃの横支持板３６ａの左端部分上に載置支持され、この上側枠２１の突出部２７が、枠部材２の横方向の所定の位置において、固定機構５１により横ラック３２Ｃに固定されている。
【００３７】
図３，図４に示すように、固定機構５１は、接続金具５２、締結ボルト５３、ナット部材５４などを有する。接続金具５２は、上側枠２１の縦板部２６の右端面に沿うように配置された縦支持部５５と、この縦支持部５５の上端部から水平方向に延びる横支持部５６とから一体形成されている。尚、横ラック３２Ａには、固定機構５１によりパネル１の代わりに軒カバー５が固定される。
【００３８】
横支持部５６は、横ラック３２Ｂの頂部支持板３８に載置されている。横支持部５６の上面の左右方向の両端部には、１対の取付板部５７が上方に突出状に一体形成されている。この取付板部５７は、間カバー６を取り付ける為のものである。間カバー６は、下方開口状の断面コ字状に形成され、この間カバー６の内側が、１対の取付板部５７の外側に係合されて固定される。
【００３９】
この固定機構５１によりパネル１Ｃの突出部２７を横ラック３２Ｂに固定する際は、先ず、縦支持部５５の下端部を上側枠２１の突出部２７の係合部２８に上方から係合する。次に、締結ボルト５３を、横支持部５６の挿通穴を挿通して横ラック３２Ｂのレール溝４６に挿入する。そして、締結ボルト５３を、レール溝４６内に収容されているナット部材５４に螺合することで、横支持部５６を横ラック３２Ｂの頂部支持板３８に固定する。
【００４０】
次に、太陽電池パネルの固定構造５０の固定金具６０について説明する。
図３〜図７に示すように、固定金具６０は、横ラック３２Ａ，３２Ｂ（下側横ラック）の端部に固定されることによって、パネル１Ｃ，１Ｅの移動を規制するためのものである。本実施例では、横ラック３２Ｂの端部に固定される固定金具６０について説明する。固定金具６０は、上板部６１と側板部６２とから側面視略Ｌ字状に構成され、３つの第１〜第３爪部６３〜６５、複数のビス穴６６などを備えている。尚、横ラック３２Ａ，３２Ｂの他端側端部（図４における紙面後方の端部）には、固定金具６０の左右逆構造の固定金具が設けられ、パネル１Ａ，１Ｄの移動を規制している。
【００４１】
上板部６１は、平面視矩形状に形成され、その中心部から左寄り部分に横ラック３２Ｂに固定する為のボルト部材７５を挿通するボルト挿通穴６７が形成されている。上板部６１の前端部には、直角に下側に屈曲された側板部６２が一体的に連結されている。上板部６１は、その下面が横ラック３２Ｂの頂部支持板３８上に載置され、ボルト部材７５とナット７６を介して横ラック３２Ｂに固定される。
【００４２】
側板部６２の右端下部には、右端上部より右側に且つ下端より下側に延びた延長部分６８が形成されている。側板部６２の下端左寄り部分には、深さが浅い切欠き状の凹部６９が形成されている。側板部６２の大部分は、ほぼ正面視矩形状に形成されている。側板部６２の延長部分６８には、第１爪部６３が一体連結され、下端左側部分には、第２爪部６４が一体連結され、右端の上下方向中段部分には、第３爪部６５が一体連結されている。側板部６２の上端部分には、横ラック３２Ｂの端部を覆う化粧カバー７０を取付ける為の２つのビス穴６６が所定の間隔を空けて形成されている。
【００４３】
第１爪部６３は、細長い水平板状に形成されている。第１爪部６３は、側板部６２の延長部分６８の下端から略直角に奥側に屈曲されている。この第１爪部６３は、固定金具６０が横ラック３２Ｂに固定された状態で突出部２７の係合部２８に係合する高さ位置に形成されている。尚、この第１爪部６３が請求項１に記載の爪部に相当するものである。
【００４４】
第２爪部６４は、細長い水平板状に形成されている。第２爪部６４は、側板部６２の切欠き状の凹部６９より左側から略直角に奥側に屈曲されている。第２爪部６４の屈曲位置は、第１爪部６３の屈曲位置より高い位置に設定されている。第２爪部６４と第１爪部６３は平行に位置する。第２爪部６４は、第１爪部６３より幅広で且つ同じ長さに設定されている。この第２爪部６４は、固定金具６０が横ラック３２Ｂに固定された状態で第２爪部６４の右側部が横ラック３２Ｂの左側縦支持板３７ａの左端面に当接又は近接するように形成されている。
【００４５】
第３爪部６５は、鉛直板状に形成されている。第３爪部６５は、側板部６２の右端中段部から略直角に屈曲されている。第３爪部６５は、第１爪部６３より幅広で且つ同じ長さに設定されている。この第３爪部６５は、固定金具６０が横ラック３２Ｂに固定された状態で右側縦支持板３７ｂと枠部材２の下側枠２２との間に位置するように形成されている。
尚、第２，第３爪部６４，６５が、請求項３の誤装着防止用爪部に相当するものである。
【００４６】
図３に示すように、横ラック３２Ｂの端部を覆う化粧カバー７０を取付ける為に、固定金具６０の２つのビス穴６６に、化粧カバー７０のビス挿通穴７１を介してビス７２が夫々螺合されて、固定金具６０に化粧カバー７０が固定される。この化粧カバー７０は、本実施例では台形状に形成されているが、この形状に限定する必要はなく、正方形状や長方形状やその他の形状など種々の形状が適用可能である。
【００４７】
固定金具６０を横ラック３２Ｂの端部に取り付ける場合、固定金具６０の上板部６１を頂部支持板３８に載置し、第１爪部６３を凸部３９に接触させないように突出部２７の係合部２８に側方から挿入する。このとき、固定金具６０の横ラック３２Ｂに対する取付け位置が正確であれば、第２，第３爪部６４，６５は他の構成部材に干渉しない。その後、上板部６１のボルト挿通穴６７にボルト部材７５を挿通して、このボルト部材７５の先端部を横ラック３２Ｂのレール溝４６に挿入して、レール溝４６内に収容されているナット７６に螺合する。このように、固定金具６０の上板部６１を横ラック３２Ｂの頂部支持板３８に固定することで、固定金具６０の第１爪部６３を介してパネル１Ｅの下側枠２２を横ラック３２Ｂに保持することができる。
【００４８】
ここで、この固定金具６０を横ラック３２Ｂの正規取付け側端部とは反対側の他端側端部に取り付けようとした場合、第２爪部６４が突出部２７に対応する位置になるが、第２爪部６４を突出部２７の係合部２８に係合させようとしても、第２爪部６４が縦支持板３７ｂの凸部３９に接触してしまい、第２爪部６４を係合部２８に係合することができない。つまり、固定金具６０の左右対称の構造を有する別の固定金具でないと、横ラック３２Ｂの他端側端部には取付け不可能である。従って、施工時において左右逆の取付けを防止して、固定金具６０の誤装着を防止することができる。
【００４９】
また、固定金具６０を横ラック３２Ｂの端部に対する正規取付け位置から高さ方向にズレた状態で取り付けようとした場合、第３爪部６５が頂部支持板３８の上端面に引っ掛かり、上板部６１のボルト挿通穴６７にボルト部材７５を挿通させても、レール溝４６に挿入不可能になる。従って、施工時において、固定金具６０が高さ方向にズレた状態で架台３に固定されるのを防止して、固定金具６０の誤装着を防止することができる。
【００５０】
このように、本発明の固定金具６０は、横ラック３２Ｂの端部へ確実に且つ容易に固定される為に、固定金具６０の正規取付け位置に対する高さ方向へのズレを防止すると共に正規取付け側端部とは逆の他端側端部には組付け不可能とするフールプルーフ機能を有するものとなる。
【００５１】
次に、本発明の太陽電池パネルの固定構造５０の効果について説明する。
この固定構造５０において、下側枠２２に係合する第１爪部６３を有する固定金具６０が、横ラック３２Ａ，３２Ｂの端部に固定されることによって、パネル１Ｃ，１Ｅの受光面と直交方向へのパネル１Ｃ，１Ｅの移動を規制するので、この固定金具６０によりパネル１Ｃ，１Ｅに設けられた下側枠２２が架台３から外れてしまう不具合を防止することができる。
【００５２】
従って、固定金具６０を下側枠２２に係合する為に複数のビスや補助板を必要とせず、１つの部材からなる固定金具６０を横ラック３２Ａ，３２Ｂに固定するだけで、パネル１Ｃ，１Ｅに設けられた下側枠２２を横ラック３２Ａ，３２Ｂに固定することができるので、パネル１Ｃ，１Ｅの架台３に対する組み付けを簡単化することができる上、部品点数を少なくしてコスト低減を図ることができる。
【００５３】
パネル１Ｃ，１Ｅに設けられた長辺の下側枠２２を下側の横ラック３２Ａ，３２Ｂの溝部４１に挿入し、固定金具６０により下側枠２２を横ラック３２Ａ，３２Ｂに保持して、パネル１Ｃ，１Ｅの上下方向への移動を規制するので、下側枠２２が溝部４１から離隔するのを防止して、下側枠２２が下側の横ラック３２Ａ，３２Ｂから外れてしまうのを防止することができる。
【００５４】
固定金具６０には、横ラック３２Ｂの端部を覆う化粧カバー７０を取付ける為の複数のビス穴６６が形成されているので、固定金具６０を横ラック３２の端部に固定した状態で、複数のビス穴６６を介して化粧カバー７０を取り付けることができる。
【００５５】
固定金具６０は、第１爪部６３に対して位置と幅の異なる第２，第３爪部６４，６５（誤装着防止用爪部）を有するので、第２爪部６４により、固定金具６０が架台３の正規取付け側端部とは逆の他端側端部に固定されるのを防止することができ、第３爪部６５により、固定金具６０が正規取付け位置から高さ方向にズレた状態で架台３の端部に固定されるのを防止することができる。
【００５６】
また、横ラック３２Ａ，３２Ｂの他端側端部（図４における紙面後方の端部）に、固定金具６０の左右逆構造の固定金具を取り付けることで、左側のパネル１Ａ，１Ｄの移動を規制することができるので、パネル１Ａ，１Ｄの固定構造においても、上記と同様の効果を奏する。さらに、本発明の固定金具６０は、台形状のパネル１以外にも、正方形状や長方形状のパネル１の移動を規制するのに適用することができる。
【００５７】
その他、当業者であれば、本発明の趣旨を逸脱することなく、前記実施例の種々の変更を付加した形態で実施可能で、本発明はそのような変更形態を包含するものである。
【符号の説明】
【００５８】
Ｓ    設置面
１    太陽電池パネル
２    枠部材
３    架台
２１  上側枠
２２  下側枠
２３  右側枠
２７  突出部
３２  横ラック
４１  溝部
５０  太陽電池パネルの固定構造
６０  固定金具
６３  第１爪部
６４  第２爪部
６５  第３爪部
６６  ビス穴
７０  化粧カバー
【図１】
2012202132.tif 000003
【図２】
2012202132.tif 000004
【図３】
2012202132.tif 000005
【図４】
2012202132.tif 000006
【図５】
2012202132.tif 000007
【図６】
2012202132.tif 000008
【図７】
2012202132.tif 000009